(57)【要約】【課題】飲料メ−カ−が製品を納入する際に使用するプラスチック製リサイクルパレットが納入された特約代理店等において未回収のまま長滞留する結果、空パレットの回収効率が低くなり飲料メ−カ−での新品パトの投入機会の増加を招き、また滞留期間中のパレットの汚染は飲料メ−にとって看過できない不衛生な状態となっている。【解決手段】滞留パレットを早期に計画的に回収し保管し、飲料メ−カ−の注文に応じて洗浄、消毒、乾燥処理を行い不衛生状態が改善されたプラスチック製リサイクル空パレットに処理を実施した、証明シ−ルを貼付した、清潔なリサイクル空パレットを飲料メ−カ−に納入する方法を採用することにより回収率の改善と不衛生状態の改善をはかる、保管管理流通システムである。【選択図】図１
2015062885.tif 000002
【特許請求の範囲】
【請求項１】
飲料メ−カ−の飲料製品を納入する特約代理店から回収した空のプラスチック製リサイクルパレットを洗浄する工程と、前記洗浄工程後の前記プラスチック製リサイクルパレットを消毒薬液槽中で消毒する工程と、前記消毒工程後の前記プラスチック製リサイクルパレットを水洗いする工程と、前記水洗い工程後の前記プラスチック製リサイクパレットを風圧乾燥する工程と、前記風圧乾燥工程後の前記プラスチック製リサイクルパレットの１側面に洗浄消毒処理が実施されたことを証明する印刷紙のシールを貼付する工程から構成されることを特徴とするプラスチック製リサイクル空パレットの洗浄消毒方法。
【請求項２】
請求項１の洗浄消毒方法により洗浄消毒処理されたプラスチック製リサイクル空パレット。
【発明の詳細な説明】
【技術分野】
【０００１】  本発明は、再使用の過程で洗浄消毒処理を実施するプラスチック製リサイクルパレットに間するものである。
【背景技術】
【０００２】  以前は飲料容器として瓶詰のタイプの比率が比較的多く、飲料メ−カ−から特約代理店等の卸会社への納入後に空瓶を回収する泌要があるためにパレットも空瓶と同時に回収されていたが、近年は瓶詰のタイプから缶詰タイプへと変わる率が多くなっており、それに伴い前記卸会社等の納品先に空パレットが長期間滞留めすることが多くなっている。【０００３】前記納品先の倉庫等に滞留したパレットは塵埃、車輌等由来の油脂汚れ泥撥ね、蜘蛛の巣、油虫、鳥、等の排泄物、人の靴の足跡が付着により染色されており、前記染色されたパレットがそのままの状態で各飲料メ−カ−の製造工場に持ち込まれている。【０００４】    従来からパレットの回収は個別に、前記飲料メ−カ−から各運送会社に対して都度別々に指示が出され、前記運送会社は前記各納品先を巡回して必要パレットを少枚数でも回収し、前記飲料メ−カ−に納入する為回収時の運送燃料人件費等の経費が増加している。。
【特許文献１】特開２００４−２６８９４２号公報
【発明の開示】
【発明が解決しようとする課題】
【０００５】  前記納入先において空パレットが滞留する結果、前記飲料メ−カ−の空パレットは共通であるが回収先で共同で回収していない為小枚数化しており従来より回収率が以前よりも低下するとともに、前記運送会社における回収時の輸送燃料費、人件費等の経費が増加している。【０００６】  パレット回収率の低下に伴って、前記各飲料メ−カ−では新品パレットを補充する必要が生じるために、前記新品パレットの製作費用もコストアップ要因となっている。【０００７】前記納入先での長期間の滞留に伴う前記空パレットの汚染は細菌類の付着の可能性を意味しており前記飲料メ−カ−として見過ごすことのできない解決すべき課題となっている。
【課題を解決するための手段】
【０００８】  前記納入先での空パレットの滞留は前記飲料容器納入時に空パレットを回収しないことに起因しており、この問題を解決するためには、前記納入先からの前記空パレットの回収と前記飲料メ−カ−への納入する一連の流れを担当する管理会社を設立することが有効である。【０００９】  回収と納入を担当する前記管理会社は、回収した前記空パレットを保管し、洗浄消毒を行うパレットの衛生管理基準は業界管理基準又は国の管理基準に基づいて前記空パレットの洗浄消毒を行い、洗浄消毒処理後のパレットには前記洗浄消毒処理済みを証明するシ−ルを貼付することにより、前記飲料メ−カ−に納入するパレットの品質証障を行う。
【発明の効果】
【００１０】  納入先で長期間滞留する回収効率が悪く汚染したリサイクル空パレットを計画的に、共同で回収し、保管し、洗浄消毒し、洗浄消毒処理済みを証明するシールを貼付した前記プラスチック製リサイクルパレットを前記各飲料メ−カ−の指示に応じて納入する管理会社を設立することによって、プラスチック製リサイクルパレットの不衛生面が改善されるとともに、回収効率が高くなる結果として新品パレットの補充数量の削減と資材費の削減や回収時の燃費改善、人件費の効率化によって、経費削減効果も期待できる。【００１１】    上記の新しいシステムを定着することにより、未回収パレットの滞留期間を短縮する効果も生まれ、管理基準を外れる不衛生な回収パレットの比率をさらに低下させることによりさらなる経費削減効果を期待することができる。
【発明を実施する為の最良の形態】
【００１２】    本発明の実施の形態を図に基づき説明する。
【実施例１】
【００１３】  図１は、本発明のパレット洗浄装置によるリサイクルパレットの洗浄消毒方法の説明図であって、１から７は処理されるパレットの各位置を表している。
処理パレットはロ−ラ−コンベヤ−１６上を移動センサ−１５により自動的に処理位位置まで搬送される。８はパレット洗浄機、９は洗浄後のパレットを消毒薬槽１０へ装入するためのロボットＡ、１１は消毒後のパレットを消毒薬液槽から引き上げるためのロボットＢ、１２はパレット水洗い機、１３は風圧乾燥機、１４は処理済み確認シ−ル貼付機である。【００１４】図２は処理済確認シ−−ルであり、サイズは横幅１２ｃｍ、縦幅８ｃｍとしプラスチック製フィルムの片面に洗浄消毒等の処理年月日、管理責任者名管理会社名が表示される。
【産業上の利用可能性】
【００１５】  以上説明したように、本発明のプラスチック製リサイクルパレットの回収と洗浄処理を担当する管理会社の設立により空パレットの納入先での長期間滞留による低回収率と長期間滞留時の汚染による不衛生状態が解消され、新品パレットの投入量も消滅することができる。【００１６】なお上記においては対象を飲料容器用プラスチック製リサイクルパレットとして記載しているが、本発明のプラスチック製リサイクルパレットの洗浄消毒方法とその方法を用いたプラスチック製リサイクルパレットは飲料容器に限定されるものではなく、広く食品用のプラスチック製リサイクルパレットに対しても適用することができることはゆうまでもない。
【図面の簡単な説明】
【００１７】
【図１】  パレット洗浄消毒装置の説明図である。
【図２】  洗浄消毒処理が実施されたことを証明するシールの説明図である。
【符号の説明】
【００１８】  １  未洗浄消毒処理パレットの位置
２  洗浄処理中のパレット位置
３  薬液処理中のパレット位置
４  水洗い中のパレット位置
５  風圧乾燥中のパレット位置
６  洗浄消毒処理済みシール貼付位置のパレット
７  洗浄消毒処理完了パレット位置
８  洗浄機
９  ロボットＡ
１０  消毒薬液槽
【図１】
2015062885.tif 000003
【図２】
2015062885.tif 000004